(57)【特許請求の範囲】
【請求項１】
キャスタを取り付けた移動式物体のストッパ装置において、移動式物体の底面に固定される本体部に等角度間隔に少なくとも３個以上の接地部材をレバー片を介して揺動自在に枢着し、レバー片を支持して接地部材を持ち上げるようにするカム板を水平面内で回動可能に本体部に配設したことを特徴とする移動式物体のストッパ装置。
【請求項２】
複数個のストッパ装置のカム板を、連結杆を介して連動させるようにしたことを特徴とする請求項１記載の移動式物体のストッパ装置。
【発明の詳細な説明】
【技術分野】
【０００１】
本発明は、本発明はキャスタを取り付けた家具、事務機、電気製品等の移動式物体のストッパ装置に関するものである。
【背景技術】
【０００２】
従来、移動式テーブルや椅子等の移動式物体には、当該物体を小さい力で移動できるようにキャスタが取り付けられ、その設置位置を保持する手段として、ストッパ装置が設けられている。
ところで、このストッパ装置としては、キャスタが回転しないように固定するものが汎用されている（例えば、特許文献１参照）。
【０００３】
しかしながら、ストッパ装置としてキャスタが回転しないように固定するものは、キャスタが回転しないように固定した状態でも、キャスタの向きによってキャスタと床面の摩擦抵抗が小さくなり、力が加わる方向によっては十分な保持力が得られず、このため、小さな力でテーブルや椅子等の移動式物体が、設置位置から移動してしまうという問題があった。
【先行技術文献】
【特許文献】
【０００４】
【特許文献１】実開昭６１−１１５７０５号公報
【発明の概要】
【発明が解決しようとする課題】
【０００５】
本発明は、上記従来の移動式物体のストッパ装置の有する問題点に鑑み、力が加わる方向にかかわらず十分な保持力を発揮して移動式物体の設置位置を確実に保持することができる移動式物体のストッパ装置を提供することを目的とする。
【課題を解決するための手段】
【０００６】
上記目的を達成するため、本発明の移動式物体のストッパ装置は、キャスタを取り付けた移動式物体のストッパ装置において、移動式物体の底面に固定される本体部に等角度間隔に少なくとも３個以上の接地部材をレバー片を介して揺動自在に枢着し、レバー片を支持して接地部材を持ち上げるようにするカム板を水平面内で回動可能に本体部に配設したことを特徴とする。
【０００７】
この場合において、複数個のストッパ装置のカム板を、連結杆を介して連動させるようにすることができる。
【発明の効果】
【０００８】
本発明の移動式物体のストッパ装置によれば、キャスタを取り付けた移動式物体のストッパ装置において、移動式物体の底面に固定される本体部に等角度間隔に少なくとも３個以上の接地部材をレバー片を介して揺動自在に枢着し、レバー片を支持して接地部材を持ち上げるようにするカム板を水平面内で回動可能に本体部に配設するようにしているので、少なくとも３個以上の接地部材のいずれかと床面との間に摩擦抵抗が加わるため、移動式物体を移動させようとする外力が加わる方向にかかわらず十分な保持力を発揮して移動式物体の設置位置を確実に保持することができる。
【０００９】
また、複数個のストッパ装置のカム板を、連結杆を介して連動させるようにすることにより、キャスタを取り付けた移動式物体の回転に対して十分な保持力を発揮することができる。
【図面の簡単な説明】
【００１０】
【図１】本発明の移動式物体のストッパ装置の一実施例を示し、（ａ）は接地部材を持ち上げた状態を、（ｂ）は接地部材が接地した状態を、（ｃ）は本体部を示す説明図（各図の上側の図は底面図、下側の図は正面図）である。
【図２】２個のストッパ装置のカム板を連結杆を介して連結した状態を示す説明図（底面図）である。
【発明を実施するための形態】
【００１１】
以下、本発明の移動式物体のストッパ装置の実施の形態を、図面に基づいて説明する。
【００１２】
図１に、本発明の移動式物体のストッパ装置の一実施例を示す。
この移動式物体のストッパ装置は、キャスタ（図示省略）を取り付けた移動式物体Ｍの底面に固定される本体部１に等角度間隔に少なくとも３個以上（本実施例においては、４個の例を示すが、３個以上であれば、その個数は制限されない。）の接地部材３をレバー片２を介して揺動自在に枢着し、レバー片２を支持して接地部材３を持ち上げるようにするカム板５を水平面内で回動可能に本体部１に配設するようにしている。
【００１３】
この場合において、本体部１には、レバー片２を揺動自在に枢着する支持部１１を突設し、この支持部１１に軸１２を介してレバー片２を支持するようにする。
また、本体部１には、ストッパ装置を移動式物体Ｍの底面にねじ等によって固定するための取付孔１３を形成するようにする。
【００１４】
レバー片２は、中間部を折り曲げた略く字状に形成し、上端部を軸１２を介して本体部１の支持部１１に支持するようにし、下端部に接地部材３を取り付けるようにする。
【００１５】
接地部材３は、接地部材３が床面ＦＬに接地した状態で、移動式物体Ｍの移動に対して、床面ＦＬとの間に摩擦抵抗を生じさせるような、ゴム等の材料から構成される。
なお、接地部材３の構成材料は、床面ＦＬの構成材料、表面状態等に合わせて、摩擦抵抗を生じさせる材料を適宜選択することができる。
【００１６】
カム板５は、水平面内で回動可能となるように、本体部１に設けた回転部材４に配設するようにする。
カム板５は、水平面内で回動させることによって、その周面がレバー片２に当接して接地部材３を持ち上げた状態（図１（ａ））と、当接せずに接地部材３が床面ＦＬに接地した状態（図１（ｂ））とに、選択的にできるようにするものである。
カム板５には、カム板５を水平面内で回動させるための操作片５２を突設し、移動式物体Ｍの底面に位置するカム板５の操作性を向上するようにしている。
【００１７】
ところで、この移動式物体のストッパ装置は、移動式物体Ｍの底面に１個のストッパ装置を配設するほか、複数個のストッパ装置を配設することができる。
これにより、キャスタを取り付けた移動式物体Ｍに対して十分な保持力、特に、移動式物体Ｍの回転に対して十分な保持力を発揮することができる。
この場合、図２に示すように、ストッパ装置のカム板５に突設した連結片５３を連結杆５４を介して連結することにより、２個のストッパ装置のカム板５同士を連動させるようにすることができ、これにより、カム板５の操作性を向上するようにしている。
【００１８】
この移動式物体のストッパ装置によれば、接地部材３のいずれかと床面ＦＬとの間に摩擦抵抗が加わるため、移動式物体Ｍを移動させようとする外力が加わる方向にかかわらず十分な保持力を発揮して移動式物体Ｍの設置位置を確実に保持することができ、例えば、地震によって移動式物体Ｍが移動することを確実に防止することができる。
【００１９】
以上、本発明の移動式物体のストッパ装置について、その実施例に基づいて説明したが、本発明は上記実施例に記載した構成に限定されるものではなく、その趣旨を逸脱しない範囲において適宜その構成を変更することができるものである。
【産業上の利用可能性】
【００２０】
本発明の移動式物体のストッパ装置は、力が加わる方向にかかわらず十分な保持力を発揮して移動式物体の設置位置を確実に保持することができることから、キャスタを取り付けた家具、事務機、電気製品等の移動式物体のストッパ装置として広く用いることができる。
【符号の説明】
【００２１】
１    本体部
２    レバー片
３    接地部材
４    回動部材
５    カム板
５１  カム面
５２  操作片
５３  連結片
５４  連結杆
【図１】
0005442488.tif 000002
【図２】
0005442488.tif 000003